(57)【要約】【課題】第１及び第２保持フレームと側部フレームとの間が確実に固定できると共に、組立作業が容易で生産性に優れる電気式ヒータを提供すること。【解決手段】発熱体３の積層方向両端面に第１及び第２保持フレーム２１、２２を有し、圧縮力を付与することで、発熱体３を積層一体化する側部フレーム１を有し、第１及び第２保持フレーム２１、２２は、開口部２１３、２１４、２２３、２２４を有する中空体からなり、側部フレーム１は、開口部２１３、２１４、２２３、２２４にそれぞれ差し込むことで、側部フレーム１を固定する第１及び第２固定片１１、１２を有し、第１及び第２保持フレーム２１、２２及び／または第１及び第２固定片１１、１２は、両者を係合する係合部を有し、該係合部において第１保持フレーム２１と第１固定片１１を、第２保持フレーム２２と第２固定片１２をそれぞれ係合する。【選択図】図１
2005085697.tif 000002
【特許請求の範囲】
【請求項１】
放熱フィン、通電により発熱する発熱素子、該発熱素子に電力を印加する電極板を積層して構成した発熱体を有し、該発熱体の積層方向両端面と該両端面と交差する両側面とによって張られた一方の面から他方の面に向かって被加熱媒体が上記放熱フィンの近傍を通過する電気式ヒータであって、
上記発熱体の積層方向両端面にそれぞれ第１及び第２保持フレームを有し、
上記第１及び第２保持フレームの外側から内側に向かう圧縮力を付与することで、上記放熱フィン、発熱素子、電極板、第１及び第２保持フレームを積層一体化する側部フレームを有し、
上記第１及び第２保持フレームは、上記発熱体の側面に向かう開口部を有する中空体からなり、
上記側部フレームは、上記開口部にそれぞれ差し込むことで、上記発熱体の側面に上記側部フレームを固定する第１及び第２固定片を有し、
上記第１及び第２保持フレーム及び／または上記第１及び第２固定片は、両者を係合する係合部を有し、
該係合部において、上記第１保持フレームと上記第１固定片を、上記第２保持フレームと上記第２固定片をそれぞれ係合することにより、上記側部フレームを上記第１及び第２保持フレームに固定することを特徴とする電気式ヒータ。
【請求項２】
請求項１において、上記第１及び第２固定片は、基端部と該基端部から延びる先端部とからなり、上記基端部と上記先端部との間に、上記発熱体の端面長手方向に沿って断面Ｖ字状に屈曲され、かつ第１及び第２保持フレームの外側から内側に向けて屈曲された屈曲部を有し、
上記屈曲部において、上記第１及び第２保持フレームに設けた係合部と係合することを特徴とする電気式ヒータ。
【請求項３】
請求項２において、上記係合部は、上記第１及び第２保持フレームの内側面から突出した突部からなることを特徴とする電気式ヒータ。
【請求項４】
請求項２において、上記係合部は、上記第１及び第２保持フレームの内側面に設けたスリットからなることを特徴とする電気式ヒータ。
【請求項５】
請求項１において、上記第１及び第２固定片は、基端部と該基端部から延びる先端部とからなり、上記基端部と上記先端部との間に、上記発熱体の端面長手方向に沿って断面Ｖ字状に屈曲され、かつ第１及び第２保持フレームの外側から内側に向けて屈曲された屈曲部を有し、
上記係合部は、上記第１及び第２固定片に設けた、上記第１及び第２保持フレームの内側面に向かって突出した突部からなることを特徴とする電気式ヒータ。
【発明の詳細な説明】
【技術分野】
【０００１】
本発明は、正特性のサーミスタ等を発熱素子として採用する電気式ヒータに関する。
【背景技術】
【０００２】
図１４に示すごとく、略平行に配置された一対の第１及び第２取付フレーム９１、９２と、該第１及び第２取付フレーム９１、９２と直行し、かつ第１及び第２取付フレーム９１、９２の両端にそれぞれ配置した側面取付フレーム９３、９４とによって保持され、上記第１及び第２及び側面取付フレーム９１〜９４によって形成された平面内に発熱体９５を配置した電気式ヒータ９が知られている。
上記発熱体９５は、相互に略平行に放熱フィン９５１、発熱要素９５２、該発熱要素９５２に電力を印加する電極板９５３を積層してなる。第１及び第２取付フレーム９１、９２は発熱体９５の積層方向と略直行し、側面取付フレーム９３、９４は積層方向と略平行する。
上記電気式ヒータ９において、第１取付フレーム９１と発熱体９５の上側の端面との間、第２取付フレーム９２と発熱体９５の下側の端面との間には、それぞれ発熱体９５の積層方向、外部から内部に向かう弾性力（復元力）を発揮するばね材９１０、９２０を配置する。
【０００３】
電気式ヒータ９の組付時には、ばね材９１０、９２０がたわむように、第１及び第２取付フレーム９１、９２から発熱体９５を押圧する状態で、側面取付フレーム９３、９４を第１及び第２取付フレーム９１、９２の端部に固定する。
この固定により発熱体９５は積層方向の圧縮力を受けて、該圧縮力により発熱体９５の構成要素となる放熱フィン９５１、発熱要素９５２、電極板９５３が相互に密着しつつ、取付フレーム９１〜９４内に固定される。
【０００４】
電気式ヒータ９において、電極板９５３から発熱要素９５２に電力が印加されて、発熱要素９５２が発熱する。発熱要素９５２で発生した熱は電極板９５３を介して放熱フィン９５１に熱伝導し、放熱フィン９５１から該放熱フィン９５１近傍を通過する被加熱媒体に熱伝導が生じることで、電気式ヒータ９が機能する。
従って、発熱体９５の構成要素となる放熱フィン９５１、発熱要素９５２、電極板９５３は相互に十分密着していることが望ましい。
図１４にかかる電気式ヒータ９において、ばね材９１０、９２０が発熱体９５に積層方向の圧縮力を付与することで、発熱体９５の構成要素の相互密着が実現するのである。
以下の特許文献１はラジエータに関する発明であるが、図１４と同様の構成とばね材による効果を備えている。
【０００５】
【特許文献１】特許第３２７４２３４号公報
【発明の開示】
【発明が解決しようとする課題】
【０００６】
しかしながら、図１４にかかる従来構成において、積層方向の圧縮力を付与して、発熱体９５を取付フレーム９１〜９４内に固定すると共に、発熱体９５の各構成要素を相互密着させる役割は、ばね材９１０、９２０と第１及び第２及び側面取付フレーム９１〜９４とが担っていたが、これらの部材を用いた積層固定構造は組立時の効率が悪く、生産効率の低下を招くおそれがあった。
【０００７】
即ち、各構成要素を積層して発熱体９５となし、該発熱体９５の積層方向両端面にそれぞれ第１及び第２取付フレーム９１、９２を配置した後、なんらかの押圧手段を利用して第１及び第２取付フレーム９１、９２ごと積層方向の圧縮力を加える。
圧縮力を加えた際の発熱体９５積層崩れを防止するために、図１４の紙面垂直方向に適当な抑え部材を配置する必要が発生する。このような抑え部材を配置した上で、側面取付フレーム９３、９４を第１及び第２取付フレーム９１、９２の両端に嵌め込まねばならないが、この嵌め込みも発熱体９５の構成要素を密着させ、ばね材９１０、９２０を所定の状態までたわませる等、さまざまな作業や条件が必要である。
【０００８】
本発明は、かかる従来の問題点に鑑みてなされたもので、第１及び第２保持フレームと側部フレームとの間が確実に固定できると共に、組立作業が容易で生産性に優れる電気式ヒータを提供しようとするものである。
【課題を解決するための手段】
【０００９】
第１の発明は、放熱フィン、通電により発熱する発熱素子、該発熱素子に電力を印加する電極板を積層して構成した発熱体を有し、該発熱体の積層方向両端面と該両端面と交差する両側面とによって張られた一方の面から他方の面に向かって被加熱媒体が上記放熱フィンの近傍を通過する電気式ヒータであって、
上記発熱体の積層方向両端面にそれぞれ第１及び第２保持フレームを有し、
上記第１及び第２保持フレームの外側から内側に向かう圧縮力を付与することで、上記放熱フィン、発熱素子、電極板、第１及び第２保持フレームを積層一体化する側部フレームを有し、
上記第１及び第２保持フレームは、上記発熱体の側面に向かう開口部を有する中空体からなり、
上記側部フレームは、上記開口部にそれぞれ差し込むことで、上記発熱体の側面に上記側部フレームを配置する第１及び第２固定片を有し、
上記第１及び第２保持フレーム及び／または上記第１及び第２固定片は、両者を係合する係合部を有し、
該係合部において、上記第１保持フレームと上記第１固定片を、上記第２保持フレームと上記第２固定片をそれぞれ係合することにより、上記側部フレームを上記第１及び第２保持フレームに固定することを特徴とする電気式ヒータにある（請求項１）。
【００１０】
本発明の作用効果につき説明する。
本発明にかかる電気式ヒータにおいて、第１保持フレームと第２保持フレーム間に発熱体を保持し、側部フレームから、第１及び第２保持フレームごと外側から内側に向かう圧縮力を付与する。側部フレームは第１及び第２固定片を第１及び第２保持フレームの開口部に対し差し込み、両者を係合部において係合させることにより固定する。
【００１１】
本発明にかかる電気式ヒータにおいて、発熱素子は電極板から供給した電力によって発熱する。発熱素子からの熱は電極板を経由して放熱フィンに伝導し、該放熱フィンから被加熱媒体に伝導する。従って、発熱素子、電極板、放熱フィンの相互接触面積が大きければ大きいほど、効率よく熱を被加熱媒体に伝えることができる。
よって、積層方向に圧縮力を付与して第１及び第２保持フレーム間に発熱体を固定することで、発熱素子、電極板、放熱フィンを相互に密着させ、これらの構成要素間の熱伝導を改善して、電気式ヒータの加熱効率を高めることができる。
【００１２】
本発明は、側部フレームを用いて第１及び第２保持フレームとその間の発熱体に圧縮力を付与し、上述するごとく発熱体の構成要素間を密着させると共に発熱体と第１及び第２保持フレームを積層固定する。
従来は積層固定を二種類の部品で実現していたが、本発明はそれを改善して、部品点数を減らすことができる。
【００１３】
また、本発明は、第１及び第２保持フレームで発熱体を保持したところに側部フレームを固定することで、組付けが終了するが、従来技術に記載した図１４にかかる構成では、第１及び第２取付フレームと発熱体との間にばね材を配置し（第１及び第２保持フレームと一体化したばね材もある）、第１及び第２保持フレームの外方から圧縮力を加えて、ばね材を圧縮、その状態で、側部フレームを両側面からそれぞれ嵌め込む必要があって、組付作業が大変面倒であった。本発明は、この面倒な組付作業を軽減することができる。
【００１４】
更に、側部フレームは第１及び第２固定片を第１及び第２保持フレームの開口部に対し差し込み、両者を係合部において係合させ、該係合部において側部フレームと第１及び第２保持フレームを強く固定して、側部フレームの発熱体からの脱落を防止できる。
【００１５】
以上、本発明によれば、第１及び第２保持フレームと側部フレームとの間が確実に固定できると共に、組立作業が容易で生産性に優れる電気式ヒータを提供することができる。
【発明を実施するための最良の形態】
【００１６】
本発明の電気式ヒータは、発熱素子として、ＰＴＣ（Positive Temperature Coefficient）素子を用いることができる。ＰＴＣ素子は、特定の温度以上で急速に電気抵抗が増大する性質をもった素子で、そのため通電により発熱するが、発熱する温度が所定の温度を越えると電気抵抗が高くなりすぎて電流が殆ど流れなくなり、ある程度の温度異常に発熱することがない。よって、この素子を用いることでヒータの過熱を防ぐことができる。
【００１７】
次に、具体的な側部フレームと係合部との形状等について説明する。
即ち、上記第１及び第２固定片は、基端部と該基端部から延びる先端部とからなり、上記基端部と上記先端部との間に、上記発熱体の端面長手方向に沿って断面Ｖ字状に屈曲され、かつ第１及び第２保持フレームの外側から内側に向けて屈曲された屈曲部を有し、
上記屈曲部において、上記第１及び第２保持フレームに設けた係合部と係合することが好ましい（請求項２）。
【００１８】
ここで説明する構成は、第１及び第２固定片に屈曲部を設けることで、第１と第２固定片における屈曲部間に働く発熱体積層方向の圧縮力を利用して、側部フレームを第１及び第２保持フレームに固定する。更に、この屈曲部が第１及び第２保持フレームに設けた係合部と係合することで、第１及び第２固定片の脱落防止を図ることができる。
【００１９】
上記構成にかかる係合部の具体的な例を挙げると、上記係合部は、上記第１及び第２保持フレームの内側面から突出した突部から構成することができる（請求項３）。
上記係合部は、上記第１及び第２保持フレームの内側面に設けたスリットから構成することができる（請求項４）。
また、上記突部は、突出させたい側と反対側から打ち出して形成した打ち出し突部や（図９参照）、第１及び第２保持フレームの内側面に切り込みを設け、該切り込みから形成された切片を起こして突部となすことができる（図１０参照）。
また、スリットは、第１及び第２保持フレームの内側面を適当な形状に打ち抜く等して形成することができる（図１１参照）。
【００２０】
また、上記第１及び第２固定片は、基端部と該基端部から延びる先端部とからなり、上記基端部と上記先端部との間に、上記発熱体の端面長手方向に沿って断面Ｖ字状に屈曲され、かつ第１及び第２保持フレームの外側から内側に向けて屈曲された屈曲部を有し、
上記係合部は、上記第１及び第２固定片に設けた、上記第１及び第２保持フレームの内側面に向かって突出した突部からなることが好ましい（請求項５）。
【００２１】
この構成は、屈曲部と第１及び第２固定片に設けた突部からなる係合部によって、側部フレームを第１及び第２保持フレームに固定する。この場合も上記と同様に第１及び第２固定片の脱落防止を図ることができる。
また、上記突部は、上記と同様、打ち出し突部や、切り込みで囲まれた切片を起こして形成したものからなる（図１２、図１３参照）。
【実施例】
【００２２】
（実施例１）
本例にかかる電気式ヒータ１は、図１〜図８に示すごとく、放熱フィン３２、通電により発熱する発熱素子３３０、該発熱素子３３０に電力を印加する電極板３１、第１及び第２絶縁体３９１、３９２を積層して構成した発熱体３を有し、該発熱体３の積層方向両端面３０１、３０２と該両端面３０１、３０２と交差する両側面３０３、３０４とによって張られた一方の面３０５から他方の面３０６に向かって被加熱媒体が上記放熱フィン３２の近傍を通過する構成である。
【００２３】
上記発熱体３の積層方向両端面３０１、３０２にそれぞれ第１及び第２保持フレーム２１、２２を有し、上記第１及び第２保持フレーム２１、２２の外側から内側に向かう圧縮力を付与することで、上記放熱フィン３２、発熱素子３３０、電極板３１、第１及び第２保持フレーム２１、２２を積層一体化する側部フレーム１を有する。
上記第１及び第２保持フレーム２１、２２は、上記発熱体３の側面３０３、３０４に向かう開口部２１３、２１４、２２３、２２４を有する中空体からなる。
【００２４】
上記側部フレーム１は、上記開口部２１３、２１４、２２３、２２４にそれぞれ差し込むことで、上記発熱体３の側面３０３、３０４に上記側部フレーム１を配置する第１及び第２固定片１１、１２を有する。
上記第１及び第２保持フレーム２１、２２及び／または上記第１及び第２固定片１１、１２は、両者を係合する係合部を有し、該係合部において、上記第１保持フレーム２１と上記第１固定片１１を、上記第２保持フレーム２２と上記第２固定片１２をそれぞれ係合することにより、上記側部フレーム１を上記第１及び第２保持フレーム１１、１２に固定する。
【００２５】
そして、図４、図５に示すごとく、上記第１及び第２固定片１１、１２は、基端部１１１、１２１と該基端部１１１、１２１から延びる先端部１１３、１２３とからなり、上記基端部１１１、１２１と上記先端部１１３、１２３との間に、上記発熱体３の端面長手方向に沿って断面Ｖ字状に屈曲され、かつ第１及び第２保持フレーム２１、２２の外側から内側に向けて屈曲された屈曲部１１２、１２２を有し、上記屈曲部１１２、１２２において、上記第１及び第２保持フレーム２１、２２に設けた係合部と係合する。
【００２６】
以下、詳細に説明する。
本例の電気式ヒータ２は、発熱素子３３０の熱が放熱フィン３２に伝導し、被加熱媒体（例えば空気等）が発熱体３の面３０５から面３０６に向かって通過する際に放熱フィン３２から熱を受け取り、被加熱媒体の温度が上昇する。
発熱体３は、図１〜図３に示すごとく、第１絶縁体３９１、電極板３１、放熱フィン３２、発熱素子３３０を保持した保持具３３、電極板３１、放熱フィン３２・・・放熱フィン３２、第２絶縁体３９２の順に積層し、５枚の電極板３１、５個の放熱フィン３２、４個の発熱素子３３０を保持する４個の保持具３３からなる。
発熱体３の左右の両側面３０３、３０４に側部フレーム１が配置され、該側部フレーム１の外方からケース２３、２４が配置される。
なお、図３は発熱体を構成する各部品の積層状態を示すために記載した説明図で、各部品の詳細形状は省略した。
【００２７】
放熱フィン３２は、図１、図２に示すごとく、２個のＬ字型枠３２１、３２２と薄い波型板３２０とからなり、２個のＬ字型枠３２１、３２２で囲まれた方形の空間に上記波型板３２０を収納してなる。Ｌ字型枠３２１、３２２と波型板３２０はろう付けで一体化する。ここでＬ字型枠３２１、３２２及び波型板３２０はそれぞれ共にアルミニウムよりなる。
【００２８】
発熱素子３３０はチタン酸バリウム磁器半導体のＰＴＣ素子からなる。
発熱素子３３０を保持する保持具３３は、図１、図４〜図６に示すごとく、本体部３３１と該本体部３３１の一方の側端から突出する側端突出部３３３と、他方の側端から突出し、後述する電極板３１に設けた接続端子３１１を案内する端子用突出部３３４とからなる。側端突出部３３３、端子用突出部３３４の幅は、本体部３３１よりも狭い。本体部３３１の底面３３５は発熱素子３００を保持する保持穴３３２を４個有する。
保持具３３は、図６に示すごとく断面がＨ型で、発熱体３の積層方向両面が溝型となっている。これにより、積層方向に隣接する放熱フィン３２や電極板３１を、保持具３３が保持して、面３０５や３０６の方向に放熱フィン３２や電極板３１が飛び出さないようにすることができる。
図１、図２に示すごとく、電極板３１は、長細い平型金属板からなり、一方の端部に後述するメスターミナル２６１を接続可能な端子部３１１を有する。
この電極板３１は黄銅からなる。
【００２９】
図１〜図３に示すごとく、第１絶縁体３９１は、発熱体３の最端に位置する電極板３１と第１保持フレーム２１との間を絶縁する。第２絶縁体３９２は、発熱体３の最端に位置する放熱フィン３２と第２保持フレーム２２との間を絶縁する。また、第１絶縁体３９１は電極板３１を保持可能な溝型である。また第２絶縁体３９２は放熱フィン３２を保持可能な溝型である。
図１に示すごとく、第１及び第２保持フレーム２１，２２は断面四角形の筒型中空部材で、上記発熱体３の側面に向かう開口部２１３、２１４、２２３、２２４を有する。また、後述するケース２３、２４の係合片２３５、２４５と係合する係合穴２１７、２１８、２２７、２２８を長手方向両端に有する。
【００３０】
上記側部フレーム１の外方からケース２３、２４を被冠するが、図１の左方のケース２３は側面形状が長方形で、側部フレーム１側に延びる内側係合片２３５を備え、該内側係合片２３５が第１及び第２保持フレーム２１、２２の左方の係合穴２１７、２２７と係合する。
図１の右方のケース２４は両端にそれぞれ鍔部２４１を有し、側部フレーム１側に延びる内部係合片２４５、ケース２４を貫通し、上記電極板３１の端子部３１１を挿入して、これを外部に引き出す挿入溝２４９を有する。また、発熱体３の外方側に上記端子部３１１と接続するメスターミナル２６１を挿入するターミナル用スリット２４０を有する。
また、上記メスターミナル２６１を挿入すると共に上記ケース２４の外方から被せてメスターミナル２６１を保護収納する保護ケース２５を有する。
なお、メスターミナル２６１から延びるリード線２６２は、電気式ヒータ２の外部電源（図示略）に接続するソケット２６３、２６４を有する。
【００３１】
側部フレーム１について、更に説明する。
図１、図７、図８に示すごとく、本例の側部フレーム１は断面略コ字状で、第１及び第２固定片１１、１２、環状の支持部１０からなる。第１固定片１１は、基端部１１１、先端部１１３、両者の間の断面Ｖ字状の屈曲部１１２からなる。第２固定片１２も同様に、基端部１２１、先端部１２３、両者の間の断面Ｖ字状の屈曲部１２２からなる。
側部フレーム１はばね鋼であるＳＫ５から構成され、部材全体がばねとして機能する。
上記基端部１１１、１２１は、支持部１０の両端から緩やかなカーブ状に延び、先端部１１３、１２３は直線状に延びた部材である。基端部１１１、１２１と先端部１１３、１２３との境界で、第１及び第２固定片１１、１２はく字状に折れ曲がり、曲折部１１２、１２２を形成する。
【００３２】
本例の電気式ヒータ２の組立てについて説明する。
発熱素子３３０を保持具３３に組込み、図１に示すごとく、第１絶縁体３９１、電極板３１、放熱フィン３２、発熱素子３３０を保持した保持具３３、電極板３１、放熱フィン３２・・・放熱フィン３２、第２絶縁体３９２の順に積層する。
この時、溝状の保持具３３、第１及び第２絶縁体３９１、３９２の溝状の部分において、放熱フィン３２や電極板３１を保持して、積層状態を安定させる。
次に、図８（ａ）、（ｂ）に示すごとく、第１及び第２保持フレーム２１、２２の発熱体３側の内側面２１９、２２９間の距離Ｌ１よりも、屈曲部１１２、１２２の距離Ｌ０が大きくなるように側部フレーム１を変形させる。
【００３３】
図８（ｂ）に示すごとく、変形した側部フレーム１の第１及び第２固定片１１、１２を発熱体３の側面３０３、３０４側から第１及び第２保持フレーム２１、２２の開口部２１４、２２４に差し込む。側部フレーム１は、自由状態では、（屈曲部１１２、１２２の距離Ｌ０）＜（内側面２１９、２２９間の距離Ｌ１）であり、従って、図８（ｃ）に示すごとく、屈曲部１１２、１２２が内側面２１９、２２９と当接しつつ、積層方向内側への圧縮力が内側面２１９、２２９に作用し、側部フレーム１が第１及び第２保持フレーム２１、２２に固定する。
次いで、上記側部フレーム１の外方から、ケース２３、２４を被冠し、更にケース２４の外方に保護ケース２５を被冠する。
ケース２４の挿入溝２４９に、電極板３１の端子部３１１を挿入し、該端子部３１１をケース２４及び保護ケース２５との間でメスターミナル２６１と固定する。
【００３４】
図９に、屈曲部１１２と第１保持フレーム２１との係合状態について記載した。
第１保持フレーム２１の内側面２１９に該内側面２１９の裏側から打ち出して形成した打ち出し突部２１１を設けてなり、この打ち出し突部２１１が本例にかかる係合部となる。  図９（ａ）に示すごとく、屈曲部１１２が突部２１１に係合することで、第１保持フレーム２１に第１固定部１１が固定される。
図９（ｂ）は、第１保持フレーム２１の内側面２１９の平面図である。同図の網掛けで記載した領域が打ち出しによって突出して打ち出し突部２１１を形成する。
なお、第２固定片１２と第２保持フレーム２２との係合状態、側面３０３側での側部フレーム１と第１及び第２保持フレーム２１、２２との係合状態も、図９と同様である。
【００３５】
本例の作用効果について説明する。
本例にかかる電気式ヒータ２は、第１保持フレーム２１と第２保持フレーム２２間に発熱体３を保持し、側部フレーム１から、第１及び第２保持フレーム２１、２２ごと外側から内側に向かう圧縮力を付与する。
側部フレーム１と第１及び第２保持フレーム２１、２２の固定は次の通り。
即ち、側部フレーム１の第１及び第２固定片１１、１２を第１及び第２保持フレーム２１、２２の開口部２１３、２１４、２２３、２２４に差し込み、第１及び第２固定片１１、１２を係合部において係合することで、側部フレーム１と第１及び第２保持フレーム２１、２２が強く固定され、側部フレーム１の脱落を防止できる。
【００３６】
本例にかかる電気式ヒータ２において、発熱素子３３０は電極板３１から供給した電力によって発熱する。発熱素子３３０からの熱は電極板３１を経由して放熱フィン３２に伝導し、該放熱フィン３２から被加熱媒体に伝導する。従って、発熱素子３３０、電極板３１、放熱フィン３２の相互接触面積が大きければ大きいほど、効率よく熱を被加熱媒体に伝えることができる。
本例は、側部フレーム１を用いて、積層方向に圧縮力を付与して第１及び第２保持フレーム２１、２２間に発熱体３を固定することで、発熱素子３３０、電極板３１、放熱フィン３２を相互に密着させ、これらの構成要素間の熱伝導を改善して、電気式ヒータ２の加熱効率を高めることができる。
また、本例の側部フレーム１は金属製であり、クリープが生じ難く、使用中の剛性低下も生じ難い。
【００３７】
以上、本例によれば、第１及び第２保持フレームと側部フレームとの間が確実に固定できると共に、組立作業が容易で生産性に優れる電気式ヒータを提供することができる。
【００３８】
なお、係合部の他の例として、図１０、図１１に示すような構成がある。
図１０は、第１保持フレーム２１の内側面２１９に切り込み２１２０を設け、該切り込み２１２０から形成された切片を屈曲部１１２の側に起こして、突部２１２となす。この突部２１２が屈曲部１１２と係合することで、第１固定片１１を第１保持フレーム２１に固定する。
図１１は、内側面２１９にスリット２１６を設けて、このスリット２１６に第１固定部１１の屈曲部１１２を嵌めこむことで、第１固定片１１を第１保持フレーム２１に固定する。
【００３９】
（実施例２）
本例にかかる電気式ヒータ２において、第１及び第２固定片１１、１２と第１及び第２保持フレーム２１、２２との係合部は、上記第１及び第２固定片１１、１２に設けてある。
すなわち、図１２、図１３に示すごとく、上記係合部は、上記第１保持フレーム２１の内側面に向かって突出した突部１１８、１１９からなる（第２固定片１２と第２保持フレーム２２との間も同様であるため、図示は省略した。）。
【００４０】
図１２は、前述した図９と同様に、裏側から打ち出して形成した打ち出し突部１１８を設けて、これを係合部として利用する構成である。
図１３は、前述した図１０と同様に、切り込みを設けて、該切り込みにより形成された切片を内側面に向けて起こして突部１１９となし、これを係合部として利用する構成である。
いずれの構成も、第１及び第２固定片と第１及び第２保持フレーム２１、２２とがそれぞれ係合し、係合部において側部フレーム１と第１及び第２保持フレーム２１、２２が強く固定され、側部フレーム１の脱落を防止できる。
その他詳細は実施例１と同様である。
【図面の簡単な説明】
【００４１】
【図１】実施例１にかかる、電気式ヒータの斜視展開図。
【図２】実施例１にかかる、電気式ヒータの平面図。
【図３】実施例１にかかる、発熱体の模式図。
【図４】実施例１にかかる、保持具と発熱素子との説明図。
【図５】実施例１にかかる、保持具の平面図。
【図６】実施例１にかかる、保持具の断面図。
【図７】実施例１にかかる、側部フレームの斜視図。
【図８】実施例１にかかる、側部フレームを発熱体の側面に対する固定を示す説明図。
【図９】実施例１にかかる、側部フレームの第１固定片と第１保持フレームとの間の係合部について示す説明図。
【図１０】実施例１にかかる、側部フレームの第１固定片と第１保持フレームとの間の他の構成にかかる係合部について示す説明図。
【図１１】実施例１にかかる、側部フレームの第１固定片と第１保持フレームとの間の他の構成にかかる係合部について示す説明図。
【図１２】実施例２にかかる、側部フレームの第１固定片と第１保持フレームとの間の係合部について示す説明図。
【図１３】実施例２にかかる、他の側部フレームの第１固定片と第１保持フレームとの間の係合部について示す説明図。
【図１４】従来構成にかかる、電気式ヒータの平面図。
【符号の説明】
【００４２】
１  側部フレーム
１１  第１固定片
１２  第２固定片
２  電気式ヒータ
２１  第１保持フレーム
２２  第２保持フレーム
３  発熱体
３１  電極板
３２  放熱フィン
３３０  発熱素子
【図１】
2005085697.tif 000003
【図２】
2005085697.tif 000004
【図３】
2005085697.tif 000005
【図４】
2005085697.tif 000006
【図５】
2005085697.tif 000007
【図６】
2005085697.tif 000008
【図７】
2005085697.tif 000009
【図８】
2005085697.tif 000010
【図９】
2005085697.tif 000011
【図１０】
2005085697.tif 000012
【図１１】
2005085697.tif 000013
【図１２】
2005085697.tif 000014
【図１３】
2005085697.tif 000015
【図１４】
2005085697.tif 000016